(57)【要約】【課題】  同一ページ内の画像において、部分的に所望の光沢度を有する画像形成物を安定して出力させることができる画像形成装置を提供することを目的とする。【解決手段】  加熱源と温度制御手段により所望の表面温度に加熱される定着部材と、定着部材に対向して設けられた加圧部材と記録材搬送方向に対して直角方向で選択的かつ部分的に温度を可変することができる補助加熱手段を有し、画像を担持した記録材を、上記温度制御手段により表面温度が略一定温度に制御された定着部材と加圧部材との間で挟持・搬送して定着を行う定着手段と、補助加熱手段により定着手段により定着された記録材に画像情報に基づいて部分的に補助加熱を行う。【選択図】        図２
2006163277.tif 000002
【特許請求の範囲】
【請求項１】
記録材に画像を形成する画像形成手段と、
記録材上の画像を加熱する加熱手段とを有する画像形成装置において、
画像の光沢度を部分的に増大させるために画像の一部を選択的に加熱する補助加熱手段が設けられている
ことを特徴とする画像形成装置。
【請求項２】
前記補助加熱手段は画像情報に応じて加熱領域を変更することを特徴とする請求項１記載の画像形成装置。
【請求項３】
多色画像領域の光沢度を単色画像領域に比して増大させることを特徴とする請求項１又は２記載の画像形成装置。
【請求項４】
写真画像領域の光沢度を文字画像領域に比して増大させることを特徴とする請求項１又は２記載の画像形成装置。
【請求項５】
光沢度を増大させる画像領域を指定するための指定手段をさらに有し、前記補助加熱手段は前記指定手段にて指定された画像領域を加熱することを特徴とする請求項１記載の画像形成装置。
【発明の詳細な説明】
【技術分野】
【０００１】
この発明は、画像形成装置に関し、特に、電子写真複写機・同プリンタなどの画像形成装置に用いる定着装置、具体的には、画像形成プロセス手段により記録材面に所望の画像情報に対応した未定着画像を形成担持させ、未定着画像を加熱装置で記録材面に定着させる定着部を有する画像形成装置に適用して好適なものである。
【背景技術】
【０００２】
従来、電子写真複写機、電子写真プリンタ、静電記録装置および磁気記録装置などの画像形成装置においては、電子写真、静電記録、磁気記録などの適宜の画像形成プロセス手段により、転写材シート、エレクトロファックスシート、静電記録シート、印画紙、ＯＨＰシートなどの記録材の面に、直接方式または間接（転写）方式で所望とする画像情報に対応した未定着画像を形成担持させた後、この未定着画像を、定着手段（一般には加熱定着方式）により、記録材面に永久固着画像として定着させ、画像形成物として出力する。
【０００３】
加熱定着方式による定着手段としては、所定の定着温度に加熱した定着ヒートローラと加圧ローラとの圧接ローラ対の間に、未定着画像を形成担持させた記録材を導入して搬送通過させることによって、画像を加熱定着させる定着ヒートローラ方式（熱ローラ方式）が一般的に多用されている。
【０００４】
また、近年、高画質化の要求や高速カラープリントの需要が急速に増大しており、特に、光沢度の制御の要求が高まっている。
【０００５】
また、定着された画像の光沢度と定着温度との間には、定着温度を上げると画像の光沢性が増し、反対に定着温度を下げると画像の光沢性が低下するという関係がある。従って、定着温度の高低を制御することによって、出力画像である形成物の画像の光沢度を所望の光沢度に調節することができる。
【０００６】
すなわち、この従来技術によれば、定着ヒートローラ方式や、その他の加熱定着手段において、画像形成物１枚（同一ページの記録材）の面内画像の全体についての画像光沢度を、定着温度の調節によって所望の光沢度に均一化する制御が可能である。
【０００７】
ところが、同一ページ内の画像の光沢度を、部分的に所望した分だけ、自由かつ選択的に異ならしめる制御を実行するのは、極めて困難であった。
【０００８】
すなわち、図１１に示すように、電子写真式フルカラープリンタにおいて、画像サンプル図のように、同一ページの記録材表面に、（ａ）文字画像領域部分（テキスト部分）と、（ｂ）フルカラー写真画像領域部分（イメージ部分）を有する画像形成物を出力する場合、テキスト部分において光沢を下げつつ、イメージ部分において光沢を上げることによって、テキスト部分（例えば文字部分）においてはテカリを抑えて読みやすくし、イメージ部分（例えば写真部分）においては光沢度を高くして、より高品質な画像を表現する画像形成物を得ることができる。
【０００９】
このように同一ページ内の画像の光沢を部分的に選択的に異ならせたものを出力するためには、１枚の記録材が定着装置の加熱定着部を通過する間に、定着温度を、上述したそれぞれの画像部分の通過に対応させて、高速かつ急峻に適切な高低変化を生じるように制御する必要があった。
【００１０】
ところが、従来の定着ヒートローラ方式においては、定着ヒートローラや加圧ローラの熱容量が高いため、定着温度に対して、上述したように高速かつ急峻で、さらに適切な高低変化制御を行うことは、極めて困難であった。
【００１１】
そこで、このような不具合を解決するために、特許文献１や特許文献２には、ベルトの内側に配置されたサーマルヘッドを用いることにより、部分的に表面温度を変える方法が記載されている。
【特許文献１】特開平０８−１５２８０７号公報（第８頁、図１）
【特許文献２】特開平０５−０１９６６０号公報（第６頁、図１）
【発明の開示】
【発明が解決しようとする課題】
【００１２】
しかしながら、この方法によると、サーマルヘッド単体で１８０℃付近の定着温度を得るためには、昇温速度を増加させる必要があり、安定した光沢を得ることが非常に困難であった。
【００１３】
したがって、この発明の目的は、一度に出力される同一ページ内の画像において、部分的に所望の光沢度を有する画像形成物を安定して出力させることが可能な画像形成装置を提供することにある。
【課題を解決するための手段】
【００１４】
上記目的を達成するために、この発明の第１の発明は、
記録材に画像を形成する画像形成手段と、
記録材上の画像を加熱する加熱手段とを有する画像形成装置において、
画像の光沢度を部分的に増大させるために画像の一部を選択的に加熱する補助加熱手段が設けられている
ことを特徴とするものである。
【００１５】
この発明の第２の発明は、第１の発明において、補助加熱手段は画像情報に応じて加熱領域を変更することを特徴とする。
【００１６】
この発明の第３の発明は、第１の発明または第２の発明において、多色画像領域の光沢度を単色画像領域に比して増大させることを特徴とする。
【００１７】
この発明の第４の発明は、第１の発明または第２の発明において、写真画像領域の光沢度を文字画像領域に比して増大させることを特徴とする。
【００１８】
この発明の第５の発明は、第１の発明において、光沢度を増大させる画像領域を指定するための指定手段をさらに有し、補助加熱手段は指定手段にて指定された画像領域を加熱することを特徴とする。
【００１９】
この発明によれば、一定温度に制御された定着部材によって安定した温度を維持し、一度記録材を低光沢で定着させた後、画像情報に基づいて補助加熱手段を用いて部分的に補助加熱を実行して部分的に光沢度を高めることで、高速かつ安定して部分的に記録材表面の温度を変えることが可能となる。したがって、同一ページ内の画像において、テキスト部を低光沢、イメージ部分を高光沢にすることが可能となり、テキスト部分を読みやすく、イメージ部分を高品質な画像を表現するような画像形成物を出力することが可能となる。また、省スペース化を図ることができる。また、ユーザの嗜好で光沢を部分的に制御することが可能となる。また、入力画像を自動的に判別し、例えばテキスト部分（文字部分）を低光沢にして読みやすくしつつ、イメージ部分（写真部分）を高光沢にして、高品質
な画像を出力することが可能となる。
【発明の効果】
【００２０】
以上説明したように、この発明によれば、同一ページ内の画像形成において、例えばテキスト部などの特定部分を低光沢とし、例えばイメージ部分などの他の特定部分を高光沢とすることによって、文字を読みやすくしつつイメージを高品質な画像で表現する画像形成物を、安定して出力することが可能となる。
【発明を実施するための最良の形態】
【００２１】
以下、この発明の実施形態について図面を参照しながら説明する。なお、以下の実施形態の全図において、同一または対応する部分には同一の符号を付す。
【００２２】
（第１の実施形態）
まず、この発明の第１の実施形態による画像形成装置および定着装置について説明する。図１に、この発明の第１の実施形態による画像形成装置の一例としてのカールソンプロセス方式のフルカラープリンタを示す。
【００２３】
図１に示すように、この第１の実施形態によるフルカラープリンタには、像担持体としての電子写真感光ドラム１（感光ドラム１）が設けられている。この感光ドラム１は、図１中、矢印方向に回転可能に構成されている。また、この感光ドラム１に対して、ほぼ左下の位置に転写ドラム４が設けられている。また、感光ドラム１の回転方向に沿って、順にクリーニングユニット３および帯電ローラ５が配置されている。
【００２４】
また、感光ドラム１の回転方向に沿って、帯電ローラ５と転写ドラム４との間に、イエロー色現像ユニット２Ｙ、マゼンタ色現像ユニット２Ｍ、シアン色現像ユニット２Ｃ、およびブラック色現像ユニット２ＢＫが順に配置されている。
【００２５】
また、この第１の実施形態によるフルカラープリンタには、現像信号に応じて選択的にレーザ光８を出射可能に構成されたスキャナユニット６が設けられている。スキャナユニット６から出射されるレーザ光８は、折り返しミラー７で反射されて感光ドラム１に走査露光される。これによって、感光ドラム１表面に静電潜像が形成される。
【００２６】
また、画像などが形成される記録材（転写材）は、カセット９に収納されている。この記録材は、給紙信号に応じて、まずカセット９から給紙ローラ（図示せず）により給紙される。その後、記録材は転写ドラム４に搬送されて、吸着ローラ１０による電荷によって転写ドラム４に巻きつけられる。
【００２７】
転写ドラム４は、感光ドラム１と同期されて、感光ドラム１と等しい周速で駆動されている。転写ドラム４に巻き付けられた記録材の位置と、感光ドラム１において現象された画像位置との同期がとられて、転写ローラ（図示せず）により感光ドラム１上のトナー像が記録材上に転写される。
【００２８】
転写ドラム４に巻き付けられた記録材は、複数回の転写が可能である。そのため、必要な回数だけ転写した後、除電器（図示せず）により除電されつつ分離ローラ（図示せず）によって転写ドラム４から分離される。
【００２９】
分離された記録材は、さらに搬送ベルト（図示せず）により搬送され、定着手段としての定着装置１１によって記録材上に画像が定着される。その後、この記録材は、排紙トレイ（図示せず）上に排出される。
【００３０】
フルカラー画像を得るプロセスとしては、まず、イエロー画像信号によって感光ドラム１上に形成された潜像がイエロー色現像ユニット２Ｙにより顕像化される。そして、このイエロー像が記録材に転写され、その後、記録材が転写位置に回転してくるタイミングにあわせてマゼンタ像が感光ドラム１上に形成される。このマゼンタ像は記録材に転写される。さらに、シアン像およびブラック像においても同様のプロセスが繰り返し実行されて、同一記録材に多重転写され、フルカラー画像が形成される。
【００３１】
（定着装置）
次に、この第１の実施形態による画像形成装置に設けられる定着装置について説明する。図２に、この第１の実施形態による定着装置１１を示す。
【００３２】
この第１の実施形態において、定着装置１１は、加熱装置１１ａと補助加熱装置１１ｂとから構成されている。補助加熱装置１１ｂは、加熱装置１１ａから排出された記録材が、ニップ部に挿入されるように構成されている。
【００３３】
（加熱装置）
この第１の実施形態による加熱装置１１ａは、定着ローラ２１、加圧ローラ２２、および、例えばハロゲンヒータなどの定着ローラ加熱用ヒータなどから構成される。この加熱装置１１ａにおいては、定着ニップ部の定着ローラ２１と加圧ローラ２２との間に記録材Ｐが導入され挟持されて搬送させる。これによって、定着ニップ部において、加熱手段としてのヒータ（図示せず）により熱せられている定着ローラ２１による加熱と、定着ローラ２１および加圧ローラ２２からなる定着ニップ部Ｎにおける挟持による圧力とにより、記録材が加熱されつつ加圧されて、記録材上に保持された未定着トナー画像が定着させる。その後、記録材が排出される。
【００３４】
記録材Ｐ上のトナー画像のトナーとしては、例えばポリエステル系のものが用いられ、記録材Ｐとしては、例えば、厚さ１００μｍ程度の普通紙が用いられる。
【００３５】
また、加熱装置１１ａには、温調用の温度検出素子としてのサーミスタが設けられている。このサーミスタは定着ローラ２１の表面温度を検知する。この第１の実施形態による定着装置１１においては、サーミスタにより検知された定着ローラ２１の表面温度に基づいて、温度制御手段としての制御回路（図示せず）によってハロゲンヒータが随時フィードバック制御される。これによって、定着ローラ２１の表面温度が所定温度に保持される。
【００３６】
具体的には、サーミスタにより検知される定着ローラ２１の表面温度は、約１６０℃に設定される。一方、加圧ローラ２２の表面温度は加圧ローラ２２の定着ローラ２１との接触、回転により１３０℃程度になっている。
【００３７】
また、加圧ローラ２２を定着ローラ２１に所定の付勢力で押圧すべく、加圧ローラ２２の軸部の両端に加圧バネ（図示せず）が一対配設されている。この加圧バネにより加圧ローラ２２が加圧されている。ここでは、例えば、加圧ローラ２２が定着ローラ２１を押圧する向きに約５００Ｎで付勢され、これによりニップ部が８ｍｍ程度に形成されている。
【００３８】
（定着ローラ）
また、定着ローラ２１は、モータ（図示せず）により矢印の方向に１５０ｍｍ／ｓの速度で回転される。この定着ローラ２１は、金属製の芯金（金属パイプ）上に、弾性層、離型層が積層されている。この金属パイプは、例えばアルミニウム、鉄あるいはステンレススチールなどから構成される。この第１の実施形態においては、芯金として、直径３０ｍｍ、厚さ２．０ｍｍのアルミニウム製のものが用いられる。弾性層としては、厚さ２．０
ｍｍのシリコーンゴムに、離型層として厚さ５０μｍのＰＦＡチューブを被覆したものが用いられる。
【００３９】
（加圧ローラ）
また、加圧ローラ２２は、直径８ｍｍの鉄製の芯金の外周面に、ＡＳＫＥＲ−Ｃ硬度が５０度で、外径が３０ｍｍのスポンジ層（耐熱弾性層）が設けられ、その外周面に厚さが例えば５０μｍのＰＦＡチューブ（表層、離型層）が被覆されて構成されている。
【００４０】
（補助加熱装置）
図３に、補助加熱手段としてのフィルム加熱方式の加熱装置要部を示す。補助加熱装置における定着ローラ２３の内部には、加熱体であるサーマルヘッド１７が設けられている。このサーマルヘッド１７は、断熱性部材１４により固定支持されている。また表面には、耐熱性のフィルム１３（以下、定着フィルム１３）が設けられている。また、補助加熱装置１１ｂにおける加圧ローラ２４は、弾性の加圧ローラから構成される。
【００４１】
そして、サーマルヘッド１７と加圧ローラ２４とは、定着フィルム１３を挟んで対向して設けられている。また、これらのサーマルヘッド１７と加圧ローラ２４（または、定着ローラ２３と加圧ローラ２４）とは、互いに加圧ローラ２４の弾性に抗して所定の押圧力で圧接させ、これにより加熱部分（定着部分）であるニップ部Ｎが形成されている。なお、加圧ローラ２４については、定着装置１１における加圧ローラ２２と同様の構成のものが用いられる。
【００４２】
（定着フィルム）
また、定着フィルム１３は、例えば、外径が２４ｍｍで厚さが６０μｍのエンドレス（円筒状）状の耐熱性フィルムから構成されている定着フィルム１３は、サーマルヘッド１７を含む断熱性部材１４にルーズに外嵌されている。
【００４３】
定着フィルム１３は、熱容量を小さくしてクイックスタート性を向上させるために、フィルム膜厚を１００μｍ以下、好ましくは２０μｍ以上５０μｍ以下の耐熱性のあるポリテトラフルオロエチレン（ＰＴＦＥ）、パーフルオロアルコキシアルカン（ＰＦＡ）、パーフルオロ・エチレン・プロピレン（ＦＥＰ）の単層、またはポリイミド、ポリアミドイミド、ポリエーテルエーテルケトン（ＰＥＥＫ）、ポリエーテルスルホン（ＰＥＳ）、ポリフェニレンスルフィド（ＰＰＳ）などの外周表面に、ポリテトラフルオロエチレン（ＰＴＦＥ）、ＰＦＡ、ＦＥＰなどをコーティングした複合層フィルムを使用することができる。
【００４４】
また、定着フィルム１３は、駆動手段（図示せず）による加圧ローラ２４の回転駆動により、ニップ部Ｎにおいてサーマルヘッド１７の面を密着しながら摺動移動される。
【００４５】
（サーマルヘッド）
また、図４に示すように、サーマルヘッド１７には、複数個の発熱素子１７ａが副走査方向に沿って１列に配列されている。この第１の実施形態においては、４００ｄｐｉ（約１６ドット／ｍｍ）の配列密度で１６８０個の発熱素子１７ａが設けられている。
【００４６】
上述したように、定着フィルム１３は、薄肉で熱容量が小さく熱応答性が良い。そのため、サーマルヘッド１７による熱応答を、ほぼそのままの状態でニップ部Ｎ内に反映させることができる。これにより、画像情報に基づいて、発熱素子１７ａを選択的に駆動させることによって、ニップ部Ｎにおいて、挟持され搬送される記録材のうちで、駆動された発熱素子１７ａに対応する領域を加熱することができる。
【００４７】
上述したように、一定温度に制御された定着装置としての熱ローラで加熱定着された記録材が、サーマルヘッド１７を用いた補助加熱装置で選択的に加熱されることによって、記録材に対する伝熱応答性が良好となり、同一ページ内において、選択的、かつ小刻みに定着温度を変化可能となる。なお、この第１の実施形態においては、補助加熱装置１１ｂにおける加熱手段として、サーマルヘッド１７を用いた例について説明したが、レーザ加熱などを用いて任意の部分を選択的に加熱することも可能である。
【００４８】
図５に、定着温度に対する光沢度を表したグラフを示す。なお、光沢度は、「ＪＩＳ−Ｚ８７４１（１９６２）“光沢度測定方法”の鏡面光沢の項」に規定する条件に基づいている。また、その測定は、例えば、村上色彩技術研究所製の光沢度計「ＧＭ−３Ｄ」によって客観的に実行可能である。
【００４９】
図５から、定着温度１６０〜２００℃においては、定着性、混色性が安定し、変化のある光沢度を有する画像を得られることがわかる。
【００５０】
次に、この第１の実施形態によるプリンタ動作について説明する。図６に、この第１の実施形態による制御系のブロック図を示す。
【００５１】
図６に示すように、この第１の実施形態によるプリンタの制御系は、ユーザによる指示を入力するための操作パネル３１、入力された指示に基づいて、所定の情報処理を実行するための情報処理部としてのＣＰＵ３２および、サーマルヘッド１７を駆動させるためのサーマルヘッド駆動部３３を有して構成されている。
【００５２】
図７に操作パネルの表示の一例を示す。図７に示すように、操作パネル３１は、例えば、画面が複数の部分に区分されて、ユーザにより所定の位置を決定できるような表示がされている。この場合、ユーザにより「Ａ」〜「Ｌ」の中から所望のブロックが指定されることによって、このユーザによる指定領域のデータ（領域情報信号）が生成されて、図６に示す情報処理部３２に供給される。情報処理部３２により、この指定された領域の画像を高光沢度な画像とするように、制御が実行される。
【００５３】
すなわち、ユーザにより領域情報信号（外部信号）が入力されると、操作パネル３１から伝送された領域データに基づいて、情報処理部３２により画像上のユーザが選択した部分に対応する位置をサーマルヘッドで補助加熱できるように演算処理が実行される。その後、この情報処理部３２における演算結果がサーマルヘッド駆動部３３に供給され、サーマルヘッド駆動部３３により、サーマルヘッド１７の指定された領域に該当する発熱素子１７ａが選択的に駆動される。
【００５４】
このようなサーマルヘッド１７の駆動により、記録材Ｐのユーザが指定した部分の温度が高くなるため、同一ページ内において、部分的に安定した光沢度を制御することが可能となる。
【００５５】
（第２の実施形態）
次に、この発明の第２の実施形態による定着装置について説明する。図８に、この第２の実施形態による定着装置を示す。
【００５６】
この第２の実施形態による定着装置の構成は、第１の実施形態におけると異なり、熱ローラ方式の加熱装置における定着ローラ２１に、補助加熱装置としての定着フィルムが挟持された状態で、補助加熱装置１１ｂのサーマルヘッド１７側の部分が当接されて構成されている。なお、そのほかの構成については、第１の実施形態におけると同様であるので説明を省略する。
【００５７】
このような構成を採用することによって、定着ローラ２１の表面をサーマルヘッド１７によって選択的に加熱することができる。そのため、定着ローラ２１に対する伝熱応答性がよく、選択的に定着ローラ表面温度を変化させることが可能となる。
【００５８】
したがって、表面温度分布が設けられた定着ローラ２１が記録材に当接されることによって、定着ローラ２１表面の温度分布に応じた所望の光沢分布を得ることができるので、第１の実施形態と同様の効果を得ることができる。また、第１の実施形態のように、独立した定着装置を二台連結させる必要がなくなるので、この発明による画像形成装置をより省スペースで構成することが可能となる。
【００５９】
次に、この第２の実施形態による画像形成における光沢度の分離動作について、図９を用いて説明する。すなわち、まず、コンピュータなどの外部装置４１から、プリント信号としてモノクロ文字画像とカラー画像とが混在された画像データが情報処理部４２に入力される。
【００６０】
この入力に応じて、入力された画像信号（画像情報データ）が情報処理部４２から分離判定回路４３に供給される。そして、分離判定回路４３において、入力された画像信号に含まれるデータに対して、モノクロ文字情報であるかカラー画像情報であるかの判定が行われる。ここで、分離判定回路４３において実行される画像データの分離の具体的な方法としては、例えば、コンピュータなどの外部装置４１から、ページ記述言語の指令コードを読み出して、この指令コードを判別に用いることによって実現可能である。
【００６１】
そして、文字情報であると判定された画像信号中の画像データは、モノクロテキストバッファＲＡＭ４４ａに入力されて、一時的に格納される。他方、カラー画像情報については、カラーグラフィックバッファＲＡＭ４４ｂに入力されて、一時的に格納される。
【００６２】
その後、図１０に示すように、情報処理部３２（ＣＰＵ）から出力される命令信号により、補助加熱動作シーケンスが実行される。すなわち、まず、カラーグラフィックバッファＲＡＭ４４ｂに一時記憶されたカラー画像情報に基づいて、画像上のカラー画像部分に対応する部分をサーマルヘッド１７によって補助加熱できるように、情報処理部３２による演算処理が実行される。そして、この演算結果に基づいて、サーマルヘッド駆動部３３によりサーマルヘッド１７の発熱素子１７ａの必要な部分が選択的に駆動される。これによって、サーマルヘッド１７が、画像データに対応した温度分布となる。
【００６３】
以上説明したように、この第２の実施形態によれば、第１の実施形態による画像形成装置に比して、より省スペース化を図ることができるとともに、コンピュータなどの外部装置から入力された画像を画像判別回路によってモノクロ文字部とカラーイメージ部分などに分類し、テキスト部分では光沢を少なくし、イメージ部分では光沢を上げ、文字は低光沢で読みやすくしつつ、写真部は高光沢で高品質・高安定に表現することが可能となる。
【００６４】
以上、この発明の実施形態について具体的に説明したが、この発明は、上述の実施形態に限定されるものではなく、この発明の技術的思想に基づく各種の変形が可能である。
【００６５】
例えば、上述の第１の実施形態による画像形成装置において、操作パネル３１に表示される、光沢度を制御する領域の指定のための表示としては、図７に示される構成に限定されるものではなく、より細分化された構成を採用することも可能である。また、ブロック形状も矩形の１種類のみではなく複数種類備えることも可能であり、必ずしも種類の数を限定するものではない。
【００６６】
また、例えば、上述の第２の実施形態においては、外部加熱として、補助加熱装置としてのサーマルヘッド１７を採用した例について説明したが、必ずしもサーマルヘッド１７に限定されるものではなく、定着ローラ２１の外部からレーザ加熱などを用いて、任意の部分を選択的に加熱することによっても、同様の効果を得ることが可能である。
【００６７】
また、この第２の実施形態においては、モノクロ文字部、カラーイメージ部分を分類する分離判定手段としての分離判定回路４３を設ける例について説明したが、これに限定されるものではなく、スキャナによって色を認識させたり、イメージ内においてハイライト部分とダーク部分とを認識させたりすることも可能である。
【図面の簡単な説明】
【００６８】
【図１】この発明の第１の実施形態による画像形成装置を示す略線図である。
【図２】この発明の第１の実施形態による定着装置を示す略線図である。
【図３】この発明の第１の実施形態による補助加熱装置を示す略線図である。
【図４】この発明の第１の実施形態によるサーマルヘッドを示す略線図である。
【図５】この発明の第１の実施形態による定着温度と画像光沢度との関係を示すグラフである。
【図６】この発明の第１の実施形態のコントローラ部の構成ブロックである。
【図７】この発明の第２の実施形態による操作パネルに表示される画像領域を指定するための図である。
【図８】この発明の第２の実施形態による定着装置を示す略線図である。
【図９】この発明の第２の実施形態による画像情報の分離動作を説明するためのブロック図である。
【図１０】この発明の第２の実施形態によるコントローラ部の構成を示すブロック図である。
【図１１】従来技術およびこの発明の実施形態における記録材上の画像サンプル図である。
【符号の説明】
【００６９】
１  電子写真感光ドラム
２  シリコーンゴム
２Ｍ  マゼンタ色現像ユニット
２Ｙ  イエロー色現像ユニット
２Ｃ  シアン色現像ユニット
２ＢＫ  ブラック色現像ユニット
３  クリーニングユニット
４  転写ドラム
５  帯電ローラ
６  スキャナユニット
７  ミラー
８  レーザ光
９  カセット
１０  吸着ローラ
１１  定着装置
１１ａ  加熱装置
１１ｂ  補助加熱装置
１３  定着フィルム
１４  断熱性部材
１７  サーマルヘッド
１７ａ  発熱素子
２１，２３  定着ローラ
２２，２４  加圧ローラ
３１  操作パネル
３２  情報処理部
３３  サーマルヘッド駆動部
４１  外部装置
４２  情報処理部
４３  分離判定回路
４４ａ  モノクロテキストバッファＲＡＭ
４４ｂ  カラーグラフィックバッファＲＡＭ
Ｎ  ニップ部
Ｐ  記録材
【図１】
2006163277.tif 000003
【図２】
2006163277.tif 000004
【図３】
2006163277.tif 000005
【図４】
2006163277.tif 000006
【図５】
2006163277.tif 000007
【図６】
2006163277.tif 000008
【図７】
2006163277.tif 000009
【図８】
2006163277.tif 000010
【図９】
2006163277.tif 000011
【図１０】
2006163277.tif 000012
【図１１】
2006163277.tif 000013